(57)【要約】【課題】ユーザにとって有用な情報を得ることができる広告配信装置を提供する。【解決手段】検索クエリログと場所名リストをもとに、場所毎に各単語の出現頻度を集計して単語統計情報を作成し、単語統計情報データベース１２に格納する単語統計情報データ作成部１１と、入力される広告データから単語を抽出して広告データとして格納する広告データ格納部１３と、前記広告データ格納部１３に格納された検索キーワードに対する単語と一致する単語統計情報を前記データベース１２から取得し、取得した単語統計情報を用いて、前記広告データと場所の関連度を計算し、関連度の高い場所を前記広告データ格納部１３内の広告データへ追記する場所推定部１４と、情報端末２００の場所情報と前記広告データ格納部１３内の広告データとを対応付けて、場所に関連する広告データを前記情報端末２００へ配信する広告データ配信部１６と、を備える。【選択図】図１
2011085994.tif 000002
【特許請求の範囲】
【請求項１】
場所に応じた広告を配信する広告配信装置であって、
検索クエリログと場所名リストに基づいて、場所毎に各単語の出現頻度を集計して構成される単語統計情報が格納された単語統計情報データベースと、
入力される広告データから単語を抽出して広告データとして格納する広告データ格納手段と、
前記広告データ格納手段に格納された検索キーワードに含まれる単語と一致する単語統計情報を前記単語統計情報データベースから取得し、取得した単語統計情報を用いて、前記広告データ格納手段内の広告データと場所の関連度を計算し、関連度の高い場所を前記広告データ格納手段内の広告データへ追記する場所推定手段と、
情報端末の場所情報と前記広告データ格納手段内の広告データとを対応付けて、場所に関連する広告データを前記情報端末へ配信する広告データ配信手段と、
を備えたことを特徴とする広告配信装置。
【請求項２】
検索クエリログと場所名リストに基づいて、場所毎に各単語の出現頻度を集計して単語統計情報を作成し、該単語統計情報を前記単語統計情報データベースに格納する単語統計情報作成手段を備えたことを特徴とする請求項１に記載の広告配信装置。
【請求項３】
前記情報端末の場所情報を取得し、前記広告データ配信手段の場所情報記録エリアに記録する場所情報取得手段を備えたことを特徴とする請求項１又は２に記載の広告配信装置。
【請求項４】
前記広告データ配信手段は、所定の配信条件に沿って前記広告データを配信することを特徴とする請求項１ないし３のいずれか１項に記載の広告配信装置。
【請求項５】
場所に応じた広告を配信する広告配信方法であって、
検索クエリログと場所名リストに基づいて、場所毎に各単語の出現頻度を集計して構成される単語統計情報が格納された単語統計情報データベースを備え、
広告データ格納手段が、入力される広告データから単語を抽出して広告データとして格納する広告データ格納ステップと、
場所推定手段が、前記広告データ格納手段に格納された検索キーワードに含まれる単語と一致する単語統計情報を前記単語統計情報データベースから取得し、取得した単語統計情報を用いて、前記広告データ格納手段内の広告データと場所の関連度を計算し、関連度の高い場所を前記広告データ格納手段内の広告データへ追記する場所推定ステップと、
広告データ配信手段が、情報端末の場所情報と前記広告データ格納手段内の広告データとを対応付けて、場所に関連する広告データを前記情報端末へ配信する広告データ配信ステップと、
を備えたことを特徴とする広告配信方法。
【請求項６】
単語統計情報作成手段が、検索クエリログと場所名リストに基づいて、場所毎に各単語の出現頻度を集計して単語統計情報を作成し、該単語統計情報を前記単語統計情報データベースに格納する単語統計情報作成ステップを備えたことを特徴とする請求項５に記載の広告配信方法。
【請求項７】
場所情報取得手段が、前記情報端末の場所情報を取得し、前記広告データ配信手段の場所情報記録エリアに記録する場所情報取得ステップを備えたことを特徴とする請求項５又は６に記載の広告配信方法。
【請求項８】
前記広告データ配信ステップは、所定の配信条件に沿って前記広告データを配信することを特徴とする請求項５ないし７のいずれか１項に記載の広告配信方法。
【請求項９】
コンピュータを請求項１ないし４のいずれか１項に記載の各手段として機能させる広告配信プログラム。
【発明の詳細な説明】
【技術分野】
【０００１】
本発明は、広告配信装置、方法およびプログラムに関するものである。
【背景技術】
【０００２】
現在、特定の場所に関する情報を提供する技術やサービスがある。例えば、場所に応じた広告を提供するために、広告物に付与されたアクセスキーを介してユーザの携帯端末へ広告情報を送信する技術が開示されている（特許文献１）。
【先行技術文献】
【特許文献】
【０００３】
【特許文献１】特許第３７６６０１１号公報
【発明の概要】
【発明が解決しようとする課題】
【０００４】
しかしながら、従来技術は、場所に限定した情報を提供するものであるが、どのような情報をどの場所に提供すると効果的であるかについては特に考慮されておらず、必ずしもユーザにとって有用な情報が提供できないという問題がある。
【０００５】
本発明は上記課題を解決するものであり、その目的は、ユーザにとって有用な情報を提供することができる広告配信装置、方法、プログラムを提供することにある。
【課題を解決するための手段】
【０００６】
本発明は、多数のユーザの意図が含まれている検索クエリのログから場所名を含むものを利用し、場所名と同時に現れた関連語を求め、ある広告と場所との関連性を推定し、ネットワーク上の情報端末に対する場所情報に応じた広告を配信するものである。
【０００７】
本発明の広告配信装置は、場所に応じた広告を配信する広告配信装置であって、検索クエリログと場所名リストに基づいて、場所毎に各単語の出現頻度を集計して構成される単語統計情報が格納された単語統計情報データベースと、入力される広告データから単語を抽出して広告データとして格納する広告データ格納手段と、前記広告データ格納手段に格納された検索キーワードに含まれる単語に対する単語統計情報を前記単語統計情報データベースから取得し、取得した単語統計情報を用いて、前記広告データ格納手段内の広告データと場所の関連度を計算し、関連度の高い場所を前記広告データ格納手段内の広告データへ追記する場所推定手段と、情報端末の場所情報と前記広告データ格納手段内の広告データとを対応付けて、場所に関連する広告データを前記情報端末へ配信する広告データ配信手段と、を備えたことを特徴としている。
【発明の効果】
【０００８】
本発明によれば、場所名を含んだ検索クエリログから場所毎に関連語を求めて、ある広告に最も関連する場所を推定し、ネットワーク上の情報端末の場所情報に応じて広告を配信することができる。これによってユーザにとって有用な情報を提供することができる。
【図面の簡単な説明】
【０００９】
【図１】本発明の実施形態の広告配信装置の構成を示すブロック図である。
【図２】図１の広告配信装置の処理の流れを表すフローチャートである。
【図３】本発明の実施形態の広告配信装置で利用する検索クエリログと場所名リストと広告データと場所情報データの一例を示す説明図である。
【図４】本発明の実施形態の広告配信装置で作成される単語統計情報の一例を示す説明図である。
【発明を実施するための形態】
【００１０】
以下、図面を参照しながら本発明の実施の形態を説明するが、本発明は下記の実施形態例に限定されるものではない。図１は本発明の一実施形態の広告配信装置の構成図、図２はその処理の流れを表すフローチャートである。図２のＳ１０〜Ｓ１５は各処理のステップを各々示している。
【００１１】
本実施形態の広告配信装置１００は、検索クエリログ格納部１０、単語統計情報データ作成部１１（単語統計情報作成手段）、単語統計情報データベース１２、広告データ格納部１３、場所推定部１４、場所情報受信部１５（場所情報取得手段）および広告データ配信部１６を備え、ネットワークを介して情報端末２００との間で情報の授受を行なう。
【００１２】
前記広告データ配信部１６は、後述する場所情報記録エリア（図示省略）を有している。
【００１３】
尚、広告配信装置１００内の各部の、後述する機能は、例えばコンピュータによって達成される。
【００１４】
検索クエリログ格納部１０は、入力した検索クエリログを格納する（Ｓ１０）。単語統計情報データ作成部１１は、入力された場所名リストと検索クエリログ格納部１０内の検索クエリログに基づいて、場所毎に各単語の出現頻度を集計した単語統計情報を作成し、単語統計情報データベース１２に登録する（Ｓ１１）。広告データ格納部１３は、入力した広告データを格納する（Ｓ１２）。場所推定部１４は、単語統計情報データベース１２内の単語統計情報を利用して、広告データ格納部１３に格納された広告データに関係する場所を推定し、推定結果を広告データ格納部１３へ追加する（Ｓ１３）。場所情報受信部１５は、情報端末２００に関する場所の情報を取得する（Ｓ１４）。広告データ配信部１６は、場所情報受信部１５で受信した場所に合った広告を広告データ格納部１３から得て、ネットワークを介して情報端末２００へ広告データを送信する（Ｓ１５）。
【００１５】
次に、本実施形態の動作を具体例により説明する。検索クエリログ格納部１０は、例えば図３（ａ），（ｂ）に示すような場所名リストおよび検索クエリログを入力し、場所名リストのいずれかの場所名を含む検索クエリログを格納する。
【００１６】
単語統計情報データ作成部１１は、前記検索クエリログと場所名リストに基づいて単語統計情報を作成し、例えば図４に示すような単語統計情報を単語統計情報データベース１２に格納する。
【００１７】
例えば、図３（ａ）に示す場所名リストの“銀座”を例にすると、“銀座”を含み、かつ、他の単語も含むクエリを図３（ｂ）に示す検索クエリログから集め、形態素解析を行い、“銀座”を除いた単語のうち名詞などの自立語を抜き出すと、“高級”、“ブランド”などの単語が得られる。なお、検索クエリログの各行を空白区切りの単語列とみなすことで、形態素解析を用いずに処理することも可能である。次に、各場所および全場所における単語の出現頻度を計算する。例えば、図４（ａ）に示すように“銀座”における“高級”の出現頻度は５５、“ブランド”の出現頻度は６６となる。
【００１８】
なお、検索クエリログ格納部１０および単語統計情報データ作成部１１の処理は、後の処理を行う前に少なくとも１度行っておけば良いため、以前に単語統計情報データベース１２が存在し、検索クエリログが入力されない場合は、本処理を省くことも可能である。
【００１９】
広告データ格納部１３は、場所推定の対象となる広告データを入力し、広告キーワードに対して形態素解析を行って名詞などの自立語を抜き出し、格納する。
【００２０】
例えば、図３（ｃ）に示すように、広告キーワードが“高級ブランド”であった場合、形態素解析により“単語／品詞”列は、“高級／名詞、ブランド／名詞”となり、自立語である“高級”、“ブランド”が保持される。なお、広告キーワードがタブ区切り等で予め単語毎に定められていれば、形態素解析を用いずに処理することも可能である。
【００２１】
場所推定部１４は、事前に計算した各場所の単語統計情報（単語統計情報データベース１２内の情報）を利用して、広告データ格納部１３で格納されている広告と各場所との関連度を求め、広告データ格納部１３へデータを追加する。
【００２２】
まず、広告キーワードに含まれている単語と一致する単語統計情報を場所毎に単語統計情報データベース１２から取得する。
【００２３】
例えば、本例では広告データの広告キーワードの単語が“高級”、“ブランド”であるので、場所が“銀座”の場合は、図４（ａ）に示すように、“高級”の出現頻度は５５で、“ブランド”の出現頻度は６６であり、場所が“新宿”の場合は、図４（ｂ）に示すように、“高級”の出現頻度は４８で、“ブランド”の出現頻度は２４である。
【００２４】
次に、前記取得した単語統計情報を用いて広告データと場所との関連度の計算を行う。
【００２５】
例えば、ある場所に対する関連度を広告データから抽出した各単語の出現頻度の平均とした場合、場所が“銀座”では、図４（ａ）から、“高級”と“ブランド”の単語出現頻度の平均値＝（５５＋６６）／２＝６０．５となる。一方、場所が“新宿”では同様に、図４（ｂ）から、（４８＋２４）／２＝３６となり、この広告データに対し、関連度の高い場所を広告データへ追記する。必要に応じて関連度や順位に閾値を設け、追記する場所数を制限してもよい。なお、なんらかの関連性が得られるのであれば、上記の関連度の計算方法に限定されない。
【００２６】
場所情報受信部１５は、事前に情報端末２００の場所情報が不明な場合に、端末識別子と場所情報を取得する。
【００２７】
例えば、可動可能な広告ディスプレイのような情報端末であれば、設置場所の情報を受信し、情報端末の識別子と場所情報を共に広告データ配信部１６の場所情報記録エリア（図示省略）へ図３（ｄ）のように記録する。もしくは、受信した情報端末の識別情報のみを広告データ配信部１６へ渡し、事前に準備した情報端末の識別情報と場所との対応表を利用して場所を場所情報記録エリアへ記録する。
【００２８】
また、現在位置が取得可能な携帯情報端末であれば、情報端末の識別情報と現在位置を受信し、広告データ配信部１６の場所情報記録エリアへ記録する。
【００２９】
また、ＰＣなどの情報端末であって、入力された場所情報を受信した場合は、情報端末の識別情報と入力した場所情報を受信し、広告データ配信部１６の場所情報記録エリアへ記録する。なお、情報端末が一意に認識され、情報端末の場所情報が取得できるものであれば、上記の例で挙げた情報端末に限定されない。
【００３０】
なお、情報端末２００の場所情報が予め明らかな場合は、広告データ配信部１６の場所情報記録エリアへ情報端末の識別情報と場所情報を記録しておくことも可能である。その場合は前記ステップＳ１４の場所情報受信処理を省くことができる。
【００３１】
広告データ配信部１６は、広告データ格納部１３の広告データと広告データ配信部１６内の場所情報との対応付けを定期的に行い、場所に最も関連する広告を情報端末２００へ配信する。
【００３２】
例えば、広告データ配信部１６の場所情報のうち、図４に示すように、場所が“銀座”である情報端末がある場合、広告データの場所に“銀座”が格納されている広告データから、関連度が高いものを探す。仮に、図３（ｃ）に示すように、広告キーワードに“高級ブランド”を含む広告番号１の広告が最も関連度が高かったとすると、該当する情報端末へ該当する広告データが配信される。
【００３３】
その他として、広告データや場所情報に所定の配信条件を記載しておくことで、各々の配信条件にあった広告データを配信することも可能である。例えば、配信条件に合った広告を選択する方法としては、広告データと場所情報との配信条件とを比べて、一致もしくは一致度の高い条件の広告データを配信することが可能である。配信条件としては、特定の時刻、特定の曜日、配信回数などであり、配信回数に達するまで特定曜日の特定時刻に配信するといったものであるが、条件はこれらに限定されない。
【００３４】
また、広告データや場所情報に所定の配信結果情報を記載することで、次の配信に影響を与えることもできる。例えば、広告データに配信履歴として配信した場所もしくは配信端末識別子を記載しておき、記載したものは次回の配信対象から除外することも可能である。また、場所情報に配信履歴として配信した広告番号を記載しておき、記載したものは次回の配信対象から除外することも可能である。
【００３５】
また、本実施形態の広告配信装置における各手段の一部もしくは全部の機能をコンピュータのプログラムで構成し、そのプログラムをコンピュータを用いて実行して本発明を実現することができること、本実施形態の広告配信方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ、ＨＤＤ、リムーバブルディスクなどに記録して、保存したり、配布したりすることが可能である。また、上記のプログラムをインターネットや電子メールなど、ネットワークを通して提供することも可能である。
【符号の説明】
【００３６】
１０…検索クエリログ格納部
１１…単語統計情報データ作成部
１２…単語統計情報データベース
１３…広告データ格納部
１４…場所推定部
１５…場所情報受信部
１６…広告データ配信部
１００…広告配信装置
２００…情報端末
【図１】
2011085994.tif 000003
【図２】
2011085994.tif 000004
【図３】
2011085994.tif 000005
【図４】
2011085994.tif 000006